(57)【要約】      （修正有）【課題】ホース２によって接続されるエアーコンプレッサ１と作業機との間の距離が長くなっても、また比較的長い時間にわたって連続的に作業機を駆動したり、複数の作業機の駆動を行わせたりしても、圧力の低下をきたすことなく充分に蓄圧された空気圧を作業機に供給できるようにする。【解決手段】エアーコンプレッサ１から送られてくる空気圧を蓄圧して作業機に供給する中継用の蓄圧装置３を設ける。【選択図】図１
2005036954.tif 000002
【特許請求の範囲】
【請求項１】
エアーコンプレッサから送られてくる空気圧を蓄圧して、空気圧を利用した作業機に空気圧を供給する蓄圧装置であって、複数の作業機にそれぞれ空気圧を供給する各開閉バルブ付きの空気圧供給用のノズルが設けられていることを特徴とする蓄圧装置。
【請求項２】
エアーコンプレッサから送られてくる空気圧を蓄圧して、空気圧を利用した作業機に空気圧を供給する蓄圧装置であって、エアーコンプレッサから送られてくる空気圧を蓄圧する第１の蓄圧室と、エアーコンプレッサから送られてくる空気圧を蓄圧して作業機に空気圧を供給する第２の蓄圧室と、第１の蓄圧室と第２の蓄圧室とのしきりに設けられた常閉の自動弁とからなり、第２の蓄圧室内の空気圧が設定された圧力以下になったときに自動弁が開いて、第１の蓄圧室の空気圧が第２の蓄圧室に送り込まれるようにしたことを特徴とする蓄圧装置。
【請求項３】
第２の蓄積室には、複数の作業機にそれぞれ空気圧を供給する各開閉バルブ付きの空気圧供給用のノズルが設けられていることを特徴とする請求項２の記載による蓄積装置。
【発明の詳細な説明】
【発明の詳細な説明】
【産業上の利用分野】
【０００１】  本発明は、エアーコンプレッサから送られてくる空気圧を蓄圧して、空気圧を利用した作業機に空気圧を供給する蓄圧装置に関する。
【背景技術】
【０００２】  従来、エアーコンプレッサにホースを通して削岩機や塗料の吹付機などの空気圧を利用した作業機を直接接続して作業を行っている。【０００３】  しかし、エアーコンプレッサから離れた場所でホースを長きにわたって引き回して作業を行う場合、ホース内における圧力のロスが累積的に増大して、作業機に充分な空気圧を供給することができなくなっている。【０００４】  また、エアーコンプレッサに複数の空気圧の供給口を有するものでは、それに接続された各作業機における作業が同時に集中してしまうと、エアーコンプレッサから各作業機に供給される空気圧が低下してしまい、圧力が回復するまで作業を一時的に中断するなど、作業に支障をきたしている。
【発明が解決しようとする課題】
【０００５】  解決しようとする問題点は、エアーコンプレッサにホースを通して削岩機や塗料の吹付機などの作業機に直接空気圧を供給するのでは、ホースが長くなるとロスによって作業機に供給される空気圧が低下してしまうことである。
【０００６】  また、エアーコンプレッサに複数の作業機を接続する場合、各作業機における作業が同時に集中してしまうと、エアーコンプレッサから各作業機に供給される空気圧が低下してしまうという問題がある。
【課題を解決するための手段】
【０００７】  本発明は、エアーコンプレッサから作業機に供給される空気圧が低下することがないように、エアーコンプレッサから送られてくる空気圧を蓄圧する中継用の蓄圧装置を設けるようにしている。
【０００８】  そして、その蓄圧装置に開閉バルブ付きの空気圧供給用のノズルを複数設けて、各供給口に接続された作業機にそれぞれ蓄圧された空気圧を供給することができるようにしている。
【０００９】  また、本発明は、エアーコンプレッサから送られてくる空気圧を蓄圧する第１の蓄圧室と、エアーコンプレッサから送られてくる空気圧を蓄圧して作業機に空気圧を供給する第２の蓄圧室と、第１の蓄圧室と第２の蓄圧室とのしきりに設けられた常閉の自動弁とからなる蓄圧装置を設けて、第２の蓄圧室内の空気圧が設定された圧力以下になったときに自動弁が開いて、第１の蓄圧室の空気圧が第２の蓄圧室に送り込まれるようにしている。
【実施例】
【００１０】  図１は本発明による蓄圧装置の基本構成を示しており、エアーコンプレッサ１からホース２を通して送られてくる空気圧を蓄圧装置３に蓄圧したうえで、その蓄圧装置３にホース４を介して接続された削岩機や塗料の吹付機などの作業機５に蓄圧された空気圧を供給するようにしている。図中、６はエアーコンプレッサ１から送られてくる空気圧を取り込む空気圧取込用のノズルを、７は蓄圧された空気圧を作業機５に供給する開閉バルブ８付きの空気圧供給用のノズルを示している。【００１１】  また、蓄圧装置３には、圧力計９および水抜き用の栓１０がそれぞれ設けられている。【００１２】  このように構成されたものでは、エアーコンプレッサ１から作業機５に直接空気圧が供給されることなく、いったん蓄圧装置３に蓄圧されたうえで、作業機５に空気圧が供給されるので、エアーコンプレッサ１と作業機５との間の距離が長くなっても、また比較的長い時間にわたって連続的に作業機５を駆動しても、充分に蓄圧された空気圧を作業機５に供給することができるようになる。【００１３】  蓄圧装置３にはエアーコンプレッサ１から常に空気圧が送り込まれて、断続的に駆動される作業機５の休止期間中に蓄圧が促進される。【００１４】  図２は開閉バルブ８付きの空気圧供給用のノズル７が複数（ここでは４つ）設けられた蓄圧装置１１を示しており、各供給用のノズル７に接続された作業機５１〜５４にそれぞれ蓄圧された空気圧を供給できるようにしている。【００１５】  この場合、各作業機５１〜５４が数１０秒間にわたって断続的に駆動されるもので、その駆動状態がばらばらで蓄圧装置１１に一度に負荷が集中することがない。そのため、蓄圧装置１１内の圧力が低下することなく、充分に蓄圧された空気圧が各作業機５１〜５４に供給される。また、一時的に負荷が集中したときにも各作業機５１〜５４に充分に蓄圧された空気圧を供給できるように、蓄圧装置１１の蓄圧容量が余裕をもって設計されている。【００１６】  図３は、本発明の他の実施例を示している。【００１７】  ここでは、エアーコンプレッサ１から送られてくる空気圧を蓄圧して、作業機５に蓄圧された空気圧を供給するに際して、エアーコンプレッサ１から送られてくる空気圧を蓄圧する第１の蓄圧室１２１と、エアーコンプレッサ１から送られてくる空気圧を蓄圧して作業機５に蓄圧された空気圧を供給する第２の蓄圧室１２２とからなり、蓄圧室１２１と蓄圧室１２２とのしきりに常閉の自動弁１３が取り付けられた蓄圧装置１２を設けるようにしている。【００１８】  このように構成された蓄圧装置１２にあっては、作業機５が比較的長い時間にわたって連続的に駆動されることによって蓄圧室１２２内の圧力が設定以下になったときに自動弁１３が開いて、蓄圧室１２１内の空気圧が補足的に蓄圧室１２２に送り込まれるようになっている。【００１９】  したがって、作業機５の通常の断続的な駆動状態では蓄圧室１２２に蓄圧された空気圧によって充分まかなうことができるが、作業機５の負荷が増大したり、作業機５が比較的長い時間にわたって連続的に駆動されたりすることによって蓄圧室１２２内の圧力が低下するきざしをみせたときには、蓄圧室１２１の蓄圧された空気圧が送り込まれ���、作業機５を充分な空気圧をもって駆動することができるようになる。【００２０】  また、図４は、第１の蓄圧室１４１と第２の蓄圧室１４２とからなり、蓄圧室１４１と蓄圧室１４２とのしきりに常閉の自動弁１３が取り付けられた蓄圧装置１４にあって、蓄積室１４２に開閉バルブ８付きの空気圧供給用のノズル７が複数（ここでは２つ）設けられて、各供給用のノズル７に接続された作業機５１、５２にそれぞれ蓄圧された空気圧を供給できるようにしている。【００２１】  この場合にあっても、各作業機５１、５２の駆動状態がばらばらで蓄圧室１４２に一度に負荷が集中することがないために、蓄圧室１４２内の圧力が低下することなく、充分に蓄圧された空気圧が各作業機５１、５２に供給される。また、一時的に負荷が集中したときにも各作業機５１、５２に充分に蓄圧された空気圧を供給できるように、蓄圧室１４１および蓄圧室１４２の各蓄圧容量が余裕をもって設計されている。
【効果】
【００２２】  以上、本発明によれば、エアーコンプレッサから送られてくる空気圧を蓄圧する中継用の蓄圧装置を設けることによって、ホースによって接続されるエアーコンプレッサと作業機との間の距離が長くなっても、また比較的長い時間にわたって連続的に作業機を駆動したり、複数の作業機の駆動を行わせたりしても、充分に蓄圧された空気圧を作業機に供給することができ、作業を支障なく行わせることができるようになる。
【００２２】  また、本発明では、特に、蓄圧装置に予備の蓄圧室を設けて、作業機へ供給する空気圧が低下したときに自動弁が開いて予備に設けられた蓄圧室内の空気圧が補足的に供給されるようにしているので、作業機の多様な駆動状態に対応して、常に充分に蓄圧された空気圧を作業機に供給することができるという利点を有している。
【図面の簡単な説明】
【図１】  本発明による蓄圧装置の基本的な構成を示す簡略図である。
【図２】  開閉バルブ付きの空気圧供給用のノズルが複数設けられて、各ノズルに接続された作業機にそれぞれ蓄圧された空気圧を供給できるようにした蓄圧装置を示す簡略構成図である。
【図３】  予備の蓄圧室と作業機に空気圧を供給する蓄圧室とのしきりに常閉の自動弁が取り付けられた蓄圧装置を示す簡略構成図である。
【図４】  作業機に空気圧を供給する蓄圧室に複数の開閉バルブ付きの空気圧供給用のノズルが設けられた予備の蓄圧室とのしきりに常閉の自動弁が取り付けられた蓄圧装置を示す簡略構成図である。
【符号の説明】
１  エアーコンプレッサ
２  ホース
３  蓄圧装置
４  ホース
５  作業機
５１〜５４  作業機
６  蓄圧装置
７  開閉バルブ
８  供給口
９１  第１の蓄圧室
９２  第２の蓄圧室
１０  自動弁
１１１  第１の蓄圧室
１１２  第２の蓄圧室
【図１】
2005036954.tif 000003
【図２】
2005036954.tif 000004
【図３】
2005036954.tif 000005
【図４】
2005036954.tif 000006